(57)【要約】  いくつかの態様によれば、本発明は、ｘＤＳＬシステム中で低電力モードを管理するための方法および装置を提供し、より詳細には、頑強で迅速であるＶＤＳＬシステムのためのＬ２モード退出プロシージャを対象とする。実施形態では、低電力モードに入る前に、低電力モードを出るためのパラメータがアップストリームモデムとダウンストリームモデムとの間で通信される。いくつかの態様によれば、これらのパラメータは、複数のステージでインクリメンタルに低電力モードを出るための構成を含む。本発明の実施形態は、この複数のステージのうちの１つまたは複数のステージでＳＮＲを素早く推定することを含む。追加のまたは代替の実施形態は、低電力モード退出の開始を確実にシグナリングすることを含む。いくつかの態様によれば、そのようなシグナリングは、反転された同期シンボルおよび正常な同期シンボルの、同期シーケンスを含むことができる。
2016537876.tif 000002
【特許請求の範囲】
【請求項１】
ｘＤＳＬシステム中の送信モデムのための低電力モードを管理すること、
を備え、前記管理することが、前記送信モデムが前記低電力モードに入る前に、前記低電力モードを出るためのパラメータで前記送信モデムを構成することを含む、
方法。
【請求項２】
前記低電力モードがＶＤＳＬ  Ｌ２モードである、請求項１に記載の方法。
【請求項３】
構成することが、前記送信モデムと前記ｘＤＳＬシステム中の対応する受信モデムとの間で前記パラメータを通信することを含む、請求項１に記載の方法。
【請求項４】
前記パラメータが、複数のステージで前記低電力モードをインクリメンタルに出るための構成を含む、請求項１に記載の方法。
【請求項５】
前記パラメータが、複数のステージでインクリメンタルに前記低電力モードを出るための構成を含む、請求項３に記載の方法。
【請求項６】
管理することがさらに、前記受信モデムに、前記複数のステージのうちの１つまたは複数のステージでＳＮＲを素早く推定させることを含む、請求項５に記載の方法。
【請求項７】
管理することがさらに、前記受信モデムに、前記複数のステージのうちの１つまたは複数のステージでビットローディングを算出させることを含む、請求項５に記載の方法。
【請求項８】
管理することがさらに、前記受信モデムに、前記算出されたビットローディングを前記送信モデムに送信させることを含む、請求項７に記載の方法。
【請求項９】
管理することがさらに、前記送信モデムに、前記送信されたビットローディングの受信を前記受信モデムに対して確実に肯定応答させることを含む、請求項８に記載の方法。
【請求項１０】
管理することが、前記送信モデムに、前記低電力モードからの退出の開始を確実にシグナリングさせることを含む、請求項１に記載の方法。
【請求項１１】
前記シグナリングが、反転された同期シンボルを含む、請求項１０に記載の方法。
【請求項１２】
前記シグナリングが、反転された同期シンボルおよび正常な同期シンボルの同期シーケンスを含む、請求項１０に記載の方法。
【請求項１３】
前記パラメータが、前記複数のステージの各々における送信ＰＳＤの変更についての構成を含む、請求項４に記載の方法。
【請求項１４】
前記変更が、送信スペクトル中の連続したトーンの複数の帯域について指定される、請求項１３に記載の方法。
【請求項１５】
前記パラメータが、前記複数のステージの各々の持続時間についての構成を含む、請求項４に記載の方法。
【請求項１６】
通信することが、埋め込み操作チャネル（ＥＯＣ）を使用して実施される、請求項４に記載の方法。
【請求項１７】
中央コントローラと、
送信モデムと、
を備え、
前記中央コントローラは、前記送信モデムが低電力モードに入る前に、前記低電力モードを出るためのパラメータで前記送信モデムを構成することによって、前記送信モデムのための前記低電力モードを管理する、
ｘＤＳＬシステム。
【発明の詳細な説明】
【技術分野】
【０００１】
関連出願の相互参照
[0001]本出願は、２０１３年１１月４日に出願された先行する同時係属の米国特許仮出願第６１／８９９，７０６号の利益を、米国特許法１１９条（ｅ）に従って請求するものであり、この仮出願の内容の全体は参照により本明細書に組み込まれる。
【０００２】
[0002]本発明は、一般に、データ通信に関し、詳細には、ｘＤＳＬシステム中で低電力モード退出プロシージャ（a low power mode exit procedure）を実施するための方法および装置に関する。
【背景技術】
【０００３】
[0003]いくつかの従来システムでは、ＤＳＬリンクを介して送信されるべきユーザデータがないときでも、モデムは、同じフル電力モード（full power mode）（たとえば、ＶＤＳＬシステムではＬ０モードとして知られる）で連続的に送信する。したがって、ＤＳＬリンクを介して送信されるべきユーザデータがないかまたは非常に少ないときにはモデムの電力消費を低減するモード（Ｌ２モードとして知られる）を有することが望ましい。クロストークキャンセレーション（crosstalk cancellation）など、Ｌ２モードに入ることがシステム性能に及ぼす影響は、通常は問題ではない。しかし、１つまたは複数の回線が、Ｌ２モードを出て、Ｌ０モードに関連するフル電力送信レベルを再開しつつあるとき、システム性能に影響する問題が生じる可能性がある。
【０００４】
[0004]したがって、Ｌ２モードを出てＬ０モードに迅速および効果的に戻るためのプロシージャが必要とされている。
【発明の概要】
【０００５】
[0005]いくつかの態様によれば、本発明は、ｘＤＳＬシステム中で低電力モードを管理するための方法および装置を提供し、より詳細には、頑強で迅速であるＶＤＳＬシステムのためのＬ２モード退出プロシージャを対象とする。実施形態では、低電力モードに入る前に、低電力モードを出るためのパラメータがアップストリームモデムとダウンストリームモデムとの間で通信される。いくつかの態様によれば、これらのパラメータは、複数のステージで低電力モードをインクリメンタルに出るための構成を含む。本発明の実施形態は、この複数のステージのうちの１つまたは複数のステージでＳＮＲを素早く推定することを含む。追加のまたは代替の実施形態は、低電力モード退出の開始を確実にシグナリングすることを含む。いくつかの態様によれば、そのようなシグナリングは、反転された同期シンボルおよび正常な同期シンボル（inverted and normal sync symbols）の、同期シーケンス（synchro sequence）を含むことができる。
【０００６】
[0006]これらおよび他の態様によれば、本発明の実施形態による方法は、ｘＤＳＬシステム中の送信モデムのための低電力モードを管理することを含み、管理することは、送信モデムが低電力モードに入る前に、低電力モードを出るためのパラメータで送信モデムを構成することを含む。
【０００７】
[0007]本発明のこれらおよび他の態様および特徴は、本発明の特定の実施形態に関する後続の記述を添付の図と共に検討すれば、当業者には明らかになるであろう。
【図面の簡単な説明】
【０００８】
【図１】[0008]本発明の実施形態による、低電力モード退出プロシージャを実現できるシステムのブロック図。
【図２】[0009]本発明の実施形態による、低電力モードを管理する例示的な方法を示すフローチャート。
【図３】[0010]本発明の実施形態による、低電力退出の開始をシグナリングする例示的な方法を示すタイミング図。
【好ましい実施形態の詳細な説明】
【０００９】
[0011]次に、図面を参照しながら本発明について詳細に述べる。図面は、当業者が本発明を実践できるようにするために、本発明の説明的な例として提供されるものである。特に、以下の図および実施例は、本発明の範囲を単一の実施形態に限定する意図はなく、記述または図示される要素のいくつかまたはすべてを交換することによって、他の実施形態も可能である。さらに、本発明のいくつかの要素が、既知のコンポーネントを使用して部分的にまたは完全に実現されることが可能である場合は、本発明を曖昧にしないために、そのような既知のコンポーネントのうち本発明の理解に必要な部分のみについて記述され、そのような既知のコンポーネントの他の部分についての詳細な記述は省略される。本明細書に別段の指定がない限り、当業者には明らかとなるように、ソフトウェアにおいて実現されるものとして記述される実施形態は、それに限定されるべきではなく、ハードウェアにおいて、またはソフトウェアとハードウェアの組合せにおいて実現される実施形態を含む可能性があり、またその逆でもある。本明細書に明示的な記載がない限り、本明細書では、単数のコンポーネントを示す実施形態は、限定として考えられるべきではなく、本発明は、複数の同じコンポーネントを含む他の実施形態を包含するものとされ、またその逆でもある。さらに、出願人は、明示的にそのような記載がない限り、本明細書または特許請求の範囲におけるどんな用語にも、稀なまたは特殊な意味があるものとは意図しない。さらに、本発明は、本明細書で例示として言及される既知のコンポーネントに対する、現在および将来の既知の均等物も包含する。
【００１０】
[0012]特に、本発明の実施形態は、ＶＤＳＬモデムおよび通信システムの場合に有用な実施例に関して記述される。しかし、本発明は、ＶＤＳＬに限定されず、他のｘＤＳＬモデムおよびシステム、たとえばＡＤＳＬやＧ．ｆａｓｔなどにも適用可能である（「ｘＤＳＬ」という用語は、これらおよび他のディジタル加入者ライン標準およびシステムを指す）。
【００１１】
[0013]いくつかの態様によれば、本発明者は、ビットローディング（bit loading）を変化させながらスペクトル全体にわたりいくらかのレベルだけ送信ＰＳＤレベルを低下させること、送信されているスペクトルを低減する（すなわちトーン数を低減する）こと、および、送信機が、ある継続時間（a duration of time）の間、遮断されて（shut off）、それから別の継続時間の間、再開される（たとえば、１フレーム当たりわずかなデータシンボルのみを送信する）ことが交互に行われる不連続送信、などの、Ｌ２モードにおけるモデムの電力消費を低減するためのいくつかの既知の方法があることを認識する。これらの方法のうちの１つまたは複数の組合せは、低減されたデータレートでＤＳＬリンクを維持しながら、モデムの電力消費を低減するために使用されることができる。
【００１２】
[0014]使用される電力低減方法にかかわらず、所与のＤＳＬリンクがＬ２モードを出てＬ０モードに再び切り替わるべきときを決定することは：より高いデータレートがＤＳＬリンクにわたって必要とされることを示す、指定された継続時間の間、指定されたしきい値を超えるデータトラフィックにおける増加；使用の増加が予想されるときなど、Ｌ０モードに再び切り替わるべき事前に設定された時間；および、他方の側のモデムからの要求、などのファクタに基づく可能性がある。
【００１３】
[0015]いくつかの追加の態様によれば、本発明者は、低電力、低データレートのＬ２モードを出て通常の高データレートのＬ０モードに戻るには、トラフィックをドロップすることなくシームレスな方式で情報を交換し、遷移を協調させるために、プロシージャのあとに両端のモデムが続くことを認識する。Ｌ２モード退出プロシージャ（L2 mode exit procedure）は、余分なデータトラフィックのための非常に大きいバッファを回避するために、またこのネットワークトラフィックを送達する際の大きいレイテンシを回避するために、非常に迅速であるべきである。ここでの障害はＬ０モードへの切替え復帰を遅延させることになるから、Ｌ２モード退出プロシージャはまた、非常に頑強であるべきであり、また、Ｌ２モードは低減されたトーン上で低電力で送信しているのでノイズの影響をより受けやすい。
【００１４】
[0016]したがって、本発明の実施形態は、Ｌ２退出プロシージャにおいて、迅速さを維持しながら頑強性を提供する方法および装置を対象とする。
【００１５】
[0017]図１に、本発明の態様を実現するためのＣＯ１００を含む例示的なｘＤＳＬシステムを示すブロック図が示されている。図示のように、例示的なシステムは、中央コントローラ１０２と、ベクタリングエンジン（vectoring engine）１０６と、ベクタリングコントローラ（vectoring controller）（ＶＣＥ）１０８と、ＣＯトランシーバー１２０−１〜１２０−Ｎとを含む。トランシーバー１２０−１〜１２０−Ｎは、それぞれ、回線１２２−１〜１２２−Ｎを介して、ダウンストリーム（すなわちＣＰＥ）トランシーバー１２４−１〜１２４−Ｎに結合される。
【００１６】
[0018]回線１２２−１〜１２２−Ｎのいくつかまたはすべては、同じバンドルに含まれること、および／または共通のベクタリンググループ（vectoring group）に属することが可能である。知られているように、ＶＤＳＬおよび他の標準に従った、そのような回線１２２のベクタリング（vectoring）（すなわちクロストークのキャンセル）は、ＶＣＥ１０８によってベクタリングエンジン１０６にプログラムされたクロストーク（たとえばＦＥＸＴ）係数を使用して、ベクタリングエンジン１０６によって扱われる。これらの係数は、ＶＣＥ１０８によって学習フェーズの間にトランシーバー１２０から学習されたチャネル特性に基づくものとすることができる。ＶＣＥ１０８は、すでに訓練されてショータイム（Ｓｈｏｗｔｉｍｅ）で動作している回線に対して過大な干渉を引き起こすことなくトランシーバーがそれの訓練ステージ（training stages）を協調的な方式で通過するのを確実にするために、トランシーバー１２０の訓練ステージを制御する。いずれかの所与の時点における回線１２２のうちのアクティブな回線の数に応じて、またおそらくさらに、経験されるクロストーク、ターゲットデータレート、およびそのようなアクティブな回線によって使用されるトーンに応じて、ＶＣＥ１０８は、ベクタリングエンジン１０６によって使用される係数を調整することができる。中央コントローラ１０２は、ｘＤＳＬシステムの全体的なコントローラであり、ＣＯトランシーバー１２０およびＶＣＥ１０８を構成し、ステータスを監視し、ネットワーク管理システムに報告する。
【００１７】
[0019]中央コントローラ１０２、ベクタリングエンジン１０６、およびＶＣＥ１０８は、Ｉｋａｎｏｓ  Ｃｏｍｍｕｎｉｃａｔｉｏｎｓ，Ｉｎｃ．によって提供されるＶｅｌｏｃｉｔｙ−３  ＮｏｄｅＳｃａｌｅ  Ｖｅｃｔｏｒｉｎｇ製品などの、プロセッサ、チップセット、ファームウェア、ソフトウェアなどによって実現されてよい。説明しやすいように別々に示されているが、コンポーネント１０２、１０６、１０８、および１２０のいくつかまたはすべては、同じチップまたはチップセットに組み込まれてもよいことに留意されたい。たとえば、Ｉｋａｎｏｓ  Ｖｅｌｏｃｉｔｙ−３  ＮｏｄｅＳｃａｌｅ  Ｖｅｃｔｏｒｉｎｇ製品では、ＶＣＥ１０８およびベクタリングエンジン１０６が１つのチップに組み込まれ、ＣＯトランシーバー１２０のうちの１６個が、マルチポート・トランシーバーチップに組み込まれる。当業者は、本実施例によって教示された後には、本発明と共に使用するためにこれらおよび他の類似の市販製品をどのように適合させるかを理解できるであろう。
【００１８】
[0020]一方、ＣＯトランシーバー１２０およびＣＰＥトランシーバー１２４は、たとえばＶＤＳＬ２によって定義されるものなどの通信サービスを実現する、従来のプロセッサ、チップセット、ファームウェア、ソフトウェアなどを含む。当業者は、これらの実施例によって教示された後には、本発明と共に使用するためにそのような製品をどのように適合させるかを理解できるであろう。
【００１９】
[0021]本発明の実施形態によれば、図１に示されるようなシステムの動作では、回線１２２（すなわちＤＳＬリンク）のいくつかまたはすべては、ダウンストリーム（すなわちＣＯからＣＰＥへ）方向とアップストリーム（すなわちＣＰＥからＣＯへ）方向のいずれかまたは両方において、通常電力（normal power）（すなわちＬ０）モードと低電力（すなわちＬ２）モードの両方で動かされることが可能である。
【００２０】
[0022]いくつかの実施形態では、中央コントローラ１０２は、どの回線１２２がＬ２モードに入りＬ２モードを出るかを決定し、これらの回線について、いつどのようにＬ２モードに入る／Ｌ２モードを出るかに関するパラメータを構成するためにトランシーバー１２０および／または１２４と通信する。そのような実施形態では、中央コントローラ１０２は各回線１２２を別々に構成してもよく、または、回線１２２のグループが実質的に同様の方式で構成されてもよい。Ｌ０とＬ２との間でモードを変更するとき、中央コントローラ１０２は、ベクタリングエンジン１０８によって使用されるベクタリング係数が更新され得るように、ＶＣＥ１０８と通信することができる。たとえば、Ｌ２モードでは、回線が、時間のうちのわずかな部分のみを送信することがある（２５６シンボルごとに４シンボルなど）。いくつかの場合では、ＶＣＥは、ある回線が送信していないときに、残りの回線についてのキャンセラ係数（canceller coefficients）を更新する必要があることがある。他のいくつかの場合では、ＶＣＥは、シンボル中で送信していないトランシーバーからのデータをキャンセルしないように、ベクタリングエンジンに単に伝えることができる。したがって、いくつかの場合では、どの回線１２２がいつＬ２モードに入るかを中央コントローラまたはＶＣＥに決定させる必要がある。
【００２１】
[0023]他の実施形態では、トランシーバー１２０および／または１２４のいくつかまたはすべては、いつどのようにＬ２モードに入りＬ２モードを出るかを、自ら決定することができる。これは、前述のようなファクタに基づいて、トランシーバーにとってのネットワークデータの利用可能性に基づいて、もしくは他方の端のトランシーバーからの要求（demand）に基づいて非同期で行われてもよく、または何らかの事前に設定されたスケジュールに従って行われてもよい。たとえば、非ベクタリング環境（a non-vectored environment）では、ある時間期間の間ポートに対するどんなネットワークデータも得ていないＣＯトランシーバーは、電力を節約するためにこのポートをＬ２モードにすると決定することができる。さらに、回線１２２の一方の端のトランシーバー、たとえばＣＯトランシーバー１２０が、ダウンストリーム通信とアップストリーム通信の両方に関するＬ２退出モードパラメータを制御することが可能である。
【００２２】
[0024]これらの実施形態の組合せが可能であることに留意されたい。たとえば、中央コントローラ１２２は、Ｌ２モードに入るためおよびＬ２モードを出るための事前に定義されたスケジュールと、より詳細に後述されるような関連する退出パラメータとで、トランシーバー１２４のいくつかを構成することができ、その後、トランシーバー１２４は、事前に定義されたスケジュールに従って、それら自体で独立してＬ２モードに入ることおよびＬ２モードを出ることができる。
【００２３】
[0025]次に、本発明の実施形態による例示的なＬ２モード退出プロシージャが、図２のフローチャートに関して記述される。このプロシージャは、ＣＯトランシーバー１２０によってプロシージャが制御される例示的な実施形態に関して記述されるが、当業者なら、前述のように中央コントローラ１２２および／またはＣＰＥトランシーバー１２４が関係しているような、他の実施形態で本発明をどのように実現するかを理解するであろう。
【００２４】
[0026]ステップＳ２０２に示されるように、本発明の実施形態では、Ｌ２モードを出るのに必要とされる情報のいくらかまたはすべてを交換することは、Ｌ２モードに入る前に、すなわちＬ０モード自体にある間に、行われる。これにより、Ｌ２退出中に情報を交換するための時間が低減される。本発明の実施形態でＬ２モードに入る前に送られることができる情報は、次のようなＬ２モード退出パラメータを含み得る。
【００２５】
[0027]第１のパラメータは、送信ＰＳＤレベルを増加させるステージの数である。変更を迅速に行うために、Ｌ２送信ＰＳＤは、単一の変更としてＬ０送信ＰＳＤレベルに上げられることができる。しかし、この結果、クロストークレベルの大きな変化が生じる。バンドル中の回線がベクトル・キャンセラ・エンティティ（a vector canceller entity）（たとえばＶＣＥ１０８）によって制御される場合、ベクトル・キャンセラは、クロストークレベルの大きい変化に対して調整することができる。場合によっては、特にベクトル・キャンセラがないときまたはＶＣＥとの直接通信がないときは、各ステージにおける送信ＰＳＤのより小さな増加とともに、送信ＰＳＤをいくつかのステージで増加させることが望ましい。本明細書にで使用されているように、Ｎ＿ｓｔａｇｅという用語は、送信ＰＳＤ増加のステージの数を表す。
【００２６】
[0028]次のパラメータは、送信ＰＳＤ増加の各ステージにおける、送信ＰＳＤの変更の量である。送信周波数スペクトルがいくつかの帯域に分けられて（broken into）よく、ＰＳＤ変更は、たとえば、ｄＢｍ／Ｈｚで表された帯域ごとの増加として指定されてよい。周波数帯域は通常、開始トーンおよびトーン数によって表される。これらのトーンは、ＶＤＳＬ２について定義されるＤＳ０などのサブバンド全体を含んでもよく、または、そのようなサブバンド中のトーンの離散的なサブセット（discrete subsets）のみを含んでもよい。ＰＳＤ変更は、Ｎ＿ｓｔａｇｅのうちの各ステージについて指定されるべきである。
【００２７】
[0029]次のパラメータは、送信ＰＳＤ増加の各ステージの持続時間（duration）である。送信されるこれらの各ＰＳＤレベルステージの持続時間は、たとえばシンボルの数で指定されてよい。
【００２８】
[0030]前述のように、実施形態では、送信ＰＳＤ増加のステージの数と、各ステージにおける送信ＰＳＤの変更とは、送信側のトランシーバーのみによって決定および制御される。他の実施形態では、そのようなパラメータは中央コントローラ１０２によって制御され、中央コントローラ１０２は、ネットワーク全体と、どのようにクロストーク変更が管理されるべきかとに関する知識を有する。
【００２９】
[0031]これらの実施形態のいずれにおいても、ダウンストリーム方向に対して、ＣＯトランシーバー１２０は、Ｌ０モードにある間に、それの対応するＣＰＥトランシーバー１２４に１つまたは複数のメッセージのセットを送り、このメッセージは、ＰＳＤ増加のステージの数と、各ステージにおける送信ＰＳＤの変更とに関する情報を含む。ＣＰＥトランシーバー１２４は、このメッセージを正しく受信したことを肯定応答する（acknowledge）。このメッセージの後には、ＣＯトランシーバーおよびＣＰＥトランシーバーは、ダウンストリーム方向でＬ２モードに入る準備ができている。退出パラメータを含むメッセージは、埋め込み操作チャネル（ＥＯＣ：embedded operations channel）など、従来の制御チャネルを使用して送られてよい。
【００３０】
[0032]実施形態では、アップストリーム方向に対して、ＣＯトランシーバー１２０は、Ｌ０モードにある間に、それの対応するＣＰＥトランシーバー１２４に１つまたは複数のメッセージの別のセットを送り、アップストリーム方向に対して、このメッセージは、ＰＳＤ増加のステージの数と、各ステージにおける送信ＰＳＤの変更とに関する情報を含む。このメッセージの後には、ＣＯトランシーバー１２０およびＣＰＥトランシーバー１２４は、アップストリーム方向でＬ２モードに入る準備ができている。
【００３１】
[0033]後述するステップでは、ダウンストリーム方向に対して、ＣＯトランシーバー１２０が送信機であり、ＣＰＥトランシーバー１２４が受信機である。そして、アップストリーム方向に対して、ＣＰＥトランシーバー１２４が送信機であり、ＣＯトランシーバー１２０が受信機である。
【００３２】
[0034]ステップＳ２０４で、Ｌ２モードに入る。これは、従来の方式で行われてよく、たとえば従来の埋め込み操作チャネル（ＥＯＣ）を使用して、送信機よって受信機にシグナリングされてよい。しかし、本発明の態様によれば、Ｌ２モードは、必要とされる最小ＳＮＲレベルと、指定された最小データレートとの両方に対応するように、いくらかの最小レベルへの、送信ＰＳＤレベルの低減を含む。これはまた、より低いデータレートに従ってビットローディングテーブルを変更することを含む可能性もある。その上、これはさらに、リード／ソロモン・パラメータ（Reed/Solomon parameters）、インタリーブ深度（interleaving depth）、オーバヘッドバイトの数、などのフレーミングパラメータ（framing parameters）への変更にたとえば基づいて、フレーミング（framing）を変更することを含む可能性もある。
【００３３】
[0035]前述のように、Ｌ２モードに入ることおよびＬ２モードを出ることの決定は、様々なファクタに基づくものとすることができる。たとえば、指定されたトラフィックしきい値があってよく、トラフィックが指定された継続時間の間いくらかの低しきい値を下回り、ＤＳＬリンクにわたる低データレートが十分であることを示すときは、Ｌ２モードに入ることができる。同様に、トラフィックが指定された継続時間の間いくらかの高しきい値を上回り、より高いデータレートがＤＳＬリンクにわたり必要とされることを示すときは、Ｌ２モードを出ることができる。別の例として、使用が高いおよび低いと予想される時間に基づいて、それぞれ、Ｌ０モードとＬ２モードの両方についてスケジュールされた事前に設定された時間があってもよい。別の例として、Ｌ２モードに入ることおよび／またはＬ２モードを出ることは、他方の側のモデムからの要求によって開始されてもよい。
【００３４】
[0036]ステップＳ２０６で、送信機は、Ｌ２モードからの退出の開始を受信機にシグナリングする。実施形態では、これは、正常な同期シンボルの位置における反転された同期シンボルを介して行われる。知られているように、モデムがデータ送信モード（ショータイム）になると、同期シンボルが、ＤＳＬにおいて固定位置で周期的に送られる（例：２５６個のデータシンボルと、それに続く同期シンボル）。同期シンボルは、各トーン上の値の事前に定義されたセットを有する。反転された同期シンボルは、各トーンの実数および虚数の値の符号を変更することによって得られる。反転された同期シンボルを、データシンボル中に送るのではなく、既知のシンボル位置で送ることによって、受信機は、データシンボルを反転された同期シンボルとして誤って識別していないと確信することができる。
【００３５】
[0037]図３に示されるような他の実施形態では、遷移は、反転された同期シンボル３０４および正常な同期シンボル３０６の「同期」シーケンス３０２によって、より頑強にされることが可能である。たとえば、正常な同期シンボルの位置における最初の反転された同期シンボル３０４の後に、次の３つの同期シンボル位置における３つの反転された同期シンボル３０４のシーケンスが続き、次いで３つの正常な同期シンボル３０６が続き、次いで３つの反転された同期シンボル３０４が続くことができる。この、１０個の同期または反転された同期シンボルのシーケンス３０２は、シンボルの１つまたは複数が雑音によって破損した場合に、頑強性を増大させる。
【００３６】
[0038]反転されたまたは正常な同期シンボルのＬ２退出同期シーケンス（L2 exit synchro sequence）中のＮ個のシンボルが、既存の（Ｌ２モード）ＰＳＤレベルで送信される。Ｌ２退出同期シンボルにより、受信機（すなわちＶＴＵ−Ｒ）は、それの受信機パラメータを確実に検出することができ、それの受信機パラメータの任意の調整を行うことができる。
【００３７】
[0039]ステップＳ２０８で、Ｌ２退出同期シンボルの最後の後に、送信機は、既存のＬ２ビットローディングおよびフレーミングを継続しながら、ステップＳ２０２で送られたパラメータ中で指定された最初の増加されたＰＳＤレベルでデータシンボルの送信を開始する。ＰＳＤ増加レベルのせいで今や０でない電力レベルを有する、０ビットローディングを伴うトーン上では、たとえばモニタトーンとして知られる既知のＰＲＢＳ値が変調されている。
【００３８】
[0040]ステップＳ２１０で、受信機は、ＳＮＲを推定し、新しいビットローディングパラメータを計算し、各トーングループに対するビットローディングの変更を示すメッセージで要求を送信機に送る。
【００３９】
[0041]実施形態によれば、退出プロシージャを迅速に保つために、ＳＮＲの概算推定値を得るために、ＳＮＲが受信機によって短い持続時間の間推定されてよい。たとえば、ＳＮＲ平均化（SNR averaging）が、従来の方式で、ただし通常の１０００〜４０００シンボルではなく１００〜４００シンボルにわたり行われてよい。控えめに、ビットローディングを行うためにこの短い持続時間のＳＮＲ推定値を使用する間、いくらかの余分な余裕（extra margin）が適用されることができる。当業者は、所与のＳＮＲ推定値に対するそのようなビットローディングをどのように算出するかを理解できるであろうし、したがって、ここでは、本発明を明確にするために、このことに関するこれ以上の詳細は省略される。
【００４０】
[0042]受信機から送信機への新しいビットローディングの交換は、トーングループごとのインクリメンタルなビットローディングを送ることによって加速されてよい。トーングループは、前述のＰＳＤ増加仕様で使用されたトーングループの同じセットであってもよく、または、トーングループの異なるセットであってもよい。ＰＳＤはトーングループにわたり固定量だけ増加されることになるので、ビットローディングの増加は、トーングループにわたり同じとなる可能性が非常に高く、したがってこれは、ビットテーブルを符号化する非常に効率的な方法である。グループ番号「ｋ」を有するトーングループの場合、メッセージは、ビットローディング ｄｅｌｔａ＿ｋの変更を指定する。グループ番号「ｋ」中の各トーン「ｔ」につき、ｄｅｌｔａ＿ｋが正である場合は、それのビットローディングはＭａｘ（ｂt＋ｄｅｌｔａ＿ｋ，Ｍａｘ＿ｂｉｔ＿ｌｏａｄｉｎｇ）に変更され、ここで、ｂtは、トーン「ｔ」の現在のビットローディングであり、Ｍａｘ＿ｂｉｔ＿ｌｏａｄｉｎｇは、システム中で許容される最大ビットローディングである。加えて、Ｌ２モードが、フル電力で送信し続けたトーンのセットを使用した場合は、これらのトーンは、任意選択で、このインクリメンタルなビットローディングから除外されてもよい。モードをＬ２モードからＬ０モードに変更したとき、データレートは通常は増加され、トーングループ中のビットローディングは通常、増加されるかまたは変わらぬままにしておかれる。何らかのトーングループのビットローディングを増加させる間に、何らかのトーングループのビットローディングを低減することが必要とされる場合は、ｄｅｌｔａ＿ｋは、グループのビットローディングを低減するように、負の数とすることができる。番号「ｋ」のトーングループに対してｄｅｌｔａ＿ｋが負である場合、このグループ番号「ｋ」中の各トーンでは、それのビットローディングはＭｉｎ（ｂt＋ｄｅｌｔａ＿ｋ，Ｍｉｎ＿ｂｉｔ＿ｌｏａｄｉｎｇ）に変更され、ここで、Ｍｉｎ＿ｂｉｔ＿ｌｏａｄｉｎｇは、トーン上の最小ビットローディングであり、これは通常は０である。
【００４１】
[0043]ステップＳ２１２で、送信機は、正常な同期シンボルの代わりに反転された同期シンボルを介して、変更に対して肯定応答する。図３に示されるシーケンスと同様、次のＮ個のシンボルは、既存の（Ｌ０モード）ＰＳＤレベルで送信されるＬ２退出同期シンボルを形成する。このＬ２退出同期シンボルにより、受信機は、遷移を確実に検出し、次いで、それの要求に基づいてそれの受信機パラメータをそれ相応に調整することができる。調整される受信パラメータは、トーン上のビットローディング、受信パス利得、周波数係数、フレーミングパラメータなどを含み得る。Ｌ２退出同期シンボルの最後の後に、送信機は、ステップ４で受信機によって要求された新しいビットローディングを用いて、既存の（Ｌ０モード）ＰＳＤレベルでデータシンボルの送信を開始する。このステップの後には、モデムは今やＬ０モードに遷移している。
【００４２】
[0044]図２に示されるように、複数のＰＳＤ遷移ステージ（すなわち、Ｎ＿ｓｔａｇｅ＞１）がメッセージング中で指定された場合は、送信機は、ステップＳ２０８にループバックし、Ｎ＿ｓｔａｇｅすべてが完了するまで、指定された数のシンボルの後でこれらのらなるＰＳＤ遷移を行うことに進む。
【００４３】
[0045]Ｌ０モードになると、受信機は、トーングループごとのビットローディング増加を求める要求が後に続く素早いＳＮＲ測定を介して、または、通常のＬ０モードシームレスレート適応（Seamless Rate Adaptation）（これは通常、トーンごとのビットローディングを求める要求を有する長いメッセージが後に続く長くより正確なＳＮＲ測定を用いて行われる）を介して、のいずれかでデータレートのさらなる増加を行うことが可能である。
【００４４】
[0046]本発明はその好ましい実施形態に関して特に記述されたが、本発明の趣旨および範囲を逸脱することなく形（form）および詳細の変更および修正が行われてもよいことは、当業者にはすぐに明らかなはずである。添付の特許請求の範囲は、そのような変更および修正を包含するものと意図される。
【図１】
2016537876.tif 000003
【図２】
2016537876.tif 000004
【図３】
2016537876.tif 000005
【国際調査報告】
2016537876.tif 000006
2016537876.tif 000007